(57)【要約】【課題】綴り込み易く抜け出し難い枚葉紙綴り具を提供すること。【解決手段】枚葉紙Ｂの綴り側端縁Ｂ’に沿って形成された複数の綴り穴Ｃに挿通して枚葉紙Ｂを綴り止めするための複数のリング部１を有し、複数のリング部１は、連結部２によって枚葉紙Ｂの複数の綴り穴Ｃのピッチ間隔に対応した間隔を保持して相互に連結されており、しかも、個々のリング部１は、開閉可能とされた両端３，３を有し、この開閉可能とされた両端３，３にリング部１を閉鎖する方向の弾性によって接触閉鎖する合掌部分４，４を備えており、この合掌部分４，４がリング部１の内側に配置されている。【選択図】図１
2008126422.tif 000002
【特許請求の範囲】
【請求項１】
枚葉紙（Ｂ）の綴り側端縁（Ｂ’）に沿って形成された複数の綴り穴（Ｃ）に挿通して枚葉紙（Ｂ）を綴り止めするための複数のリング部（１）を有し、前記複数のリング部（１）は、連結部（２）によって前記枚葉紙（Ｂ）の複数の綴り穴（Ｃ）のピッチ間隔に対応した間隔を保持して相互に連結されており、しかも、個々のリング部（１）は、開閉可能とされた両端（３，３）を有し、この開閉可能とされた両端（３，３）に前記リング部（１）を閉鎖する方向の弾性によって接触閉鎖する合掌部分（４，４）を備えており、前記合掌部分（４，４）が前記リング部（１）の内側に配置されていることを特徴とする枚葉紙綴り具。
【請求項２】
前記合掌部分（４，４）は、前記リング部（１）の径方向内方に向けて突出して配置されており、その径方向内方への突出長さは、前記リング部（１）の内径の半分を超えない長さとされていることを特徴とする請求項１に記載の枚葉紙綴り具。
【請求項３】
前記合掌部分（４，４）は、一方が長く、他方が短い長さをもち、短い方は枚葉紙（Ｂ）の綴り穴（Ｃ）の内法寸法よりも短くされ、長い方は枚葉紙（Ｂ）の綴り穴（Ｃ）の内法寸法よりも長くされていることを特徴とする請求項２に記載の枚葉紙綴り具。
【請求項４】
前記合掌部分（４，４）の長い方は、複数のリング部（１）の連結部（２）とされていることを特徴とする請求項３に記載の枚葉紙綴り具。
【発明の詳細な説明】
【技術分野】
【０００１】
本発明は、カレンダーや帳簿などの枚葉紙を綴るために使用される枚葉紙綴り具に関するものである。
【背景技術】
【０００２】
従来、この種の枚葉紙の綴り具として、枚葉紙の綴り穴に挿通するリング部の両端の合掌部をリング部の外側に向けて突出させて形成したものが提案されている（特許文献１参照）。
【特許文献１】特開２００５−１１１８３５号公報
【発明の開示】
【発明が解決しようとする課題】
【０００３】
従来の綴り具は、合掌部がリング部の外側に突出して配置されているため、枚葉紙の綴り込み時、リング部の外側に突出した合掌部が邪魔をして枚葉紙の綴り穴をリング部の内側へ挿通することを阻害することになるため、リング部の合掌部を必要以上に大きく拡開保持して挿通しなければならず、枚葉紙の綴り込みが容易ではない上、リング部の弾性復元力が損なわれ、枚葉紙の綴り込み後の合掌部の閉鎖が不完全となるという問題点があった。また、従来の綴り具は、合掌部がリング部の外側に突出して配置されているため、リング部内に綴り込まれた枚葉紙の抜け出しを阻止する逆止機能がなく、その上、合掌部の閉鎖が不完全のままであれば、綴り込んだ枚葉紙が容易に抜け出すことになるため、これを防止する対策（接着剤塗布、弾性力強化など）が余分に必要となり、コストアップを招来するという問題も派生していた。
【０００４】
本発明は、従来の綴り具の上記問題点に鑑みて開発されたもので、その目的とするところは、綴り込み易く抜け出し難い枚葉紙綴り具を提供することである。
【課題を解決するための手段】
【０００５】
前記目的を達成するために本発明は、枚葉紙の綴り側端縁に沿って形成された複数の綴り穴に挿通して枚葉紙を綴り止めするための複数のリング部を有し、前記複数のリング部は、連結部によって前記枚葉紙の複数の綴り穴のピッチ間隔に対応した間隔を保持して相互に連結されており、しかも、個々のリング部は、開閉可能とされた両端を有し、この開閉可能とされた両端に前記リング部を閉鎖する方向の弾性によって接触閉鎖する合掌部分を備えており、前記合掌部分が前記リング部の内側に配置されていることを特徴としている。
【０００６】
上記構成によれば、枚葉紙の綴り込み時、リング部の内側に配置されている合掌部分を枚葉紙の挿入ガイドとして利用することができるため、枚葉紙のリング部内への挿入が容易となる。また、合掌部分の拡開量は、枚葉紙の厚さ相当分程度の小さく狭い範囲ものでよく、リング部の弾性復元力を損なうことはない。さらに、リング部の内側に配置されている合掌部分は、綴り込まれた枚葉紙の抜け出しに対して、逆止機能を発揮するため、枚葉紙を抜け出し難くすることができる。これらによって、合掌部分に接着剤を塗布することやリング部の弾性力を強化することなどが不要化され、コストダウンを図ることができる。
【０００７】
また、前記合掌部分は、前記リング部の径方向内方に向けて突出して配置されており、その径方向内方への突出長さは、前記リング部の内径の半分を超えない長さとされていることを特徴としている。
上記構成によれば、リング部に綴り込まれた枚葉紙のリング部周方向への移動（ページめくり等）を合掌部分で阻害されることなく広範囲にスムーズに行うことができる。
また、前記合掌部分は、一方が長く、他方が短い長さをもち、短い方は枚葉紙の綴り穴の内法寸法よりも短くされ、長い方は枚葉紙の綴り穴の内法寸法よりも長くされていることを特徴としている。
【０００８】
上記構成によれば、枚葉紙の綴り込み時、短い方の合掌部分を利用して枚葉紙の綴り穴を容易に挿通することができ、また、長い方の合掌部分は、リング部に綴り込まれた枚葉紙のリング部周方向の回り止めとして利用することができる。
また、前記合掌部分の長い方は、複数のリング部の連結部とされていることを特徴としている。
上記構成によれば、複数のリング部の連結部を幅広く形成して連結部の強度を大きくすることができると共に、リング部に綴り込まれた枚葉紙を連結部の両側でリング部のほぼ全周に亘る範囲で移動させることができ、また、各種の板状素材により櫛形状に裁断加工されたものからリング部の巻き込み加工及び合掌部分の曲げ加工を経て本発明の枚葉紙綴り具を容易に製作することができる。
【発明の効果】
【０００９】
本発明によれば、綴り込み易く抜け出し難い枚葉紙綴り具を提供することができる。
【発明を実施するための最良の形態】
【００１０】
以下、本発明に係る枚葉紙綴り具の実施の形態を図面に基づいて説明する。
図１〜図３において、本発明の綴り具Ａは、枚葉紙Ｂの綴り側端縁Ｂ’に沿って形成された複数の綴り穴Ｃに挿通して枚葉紙Ｂを綴り止めするための複数のリング部１を有する。複数のリング部１は、連結部２によって前記枚葉紙Ｂの複数の綴り穴Ｃのピッチ間隔に対応した間隔を保持して相互に連結されている。個々のリング部１の幅は、枚葉紙Ｂの綴り穴Ｃの幅より小さく（狭く）されている。なお、枚葉紙Ｂの綴り穴Ｃは、角穴の場合を例示しているが、丸穴であってもよい。
【００１１】
また、個々のリング部１は、開閉可能とされた両端３，３を有し、この開閉可能とされた両端３，３に前記リング部１を閉鎖する方向の弾性によって接触閉鎖する合掌部分４，４を備えている。
合掌部分４，４は、リング部１の内側に配置されている。この合掌部分４，４は、図に示す実施形態では、リング部１の径方向内方に向けて突出して配置されており、その径方向内方への突出長さは、リング部１の内径の半分を超えない長さとされている。
また、合掌部分４，４は、一方が長く、他方が短い長さをもち、短い方は枚葉紙Ｂの綴り穴Ｃの内法寸法よりも短くされ、長い方は枚葉紙Ｂの綴り穴Ｃの内法寸法よりも長くされている。上記合掌部分４，４の長い方は、複数のリング部１の連結部２とされている。
【００１２】
また、合掌部分４，４は、リング部１の外周側部分に外側に拡開する傾斜案内部５，５が形成してある。この傾斜案内部５，５により、枚葉紙Ｂのリング部１への綴り込み時の枚葉紙Ｂの案内を行わせることができ、スムーズな綴り込みを可能としている。
本発明の綴り具Ａは、枚葉紙Ｂの綴り穴Ｃの大きさ、形状、形成個数、形成ピッチなどに対応させてリング部１の幅、リング部１の径、リング部１の連結数、連結間隔などが設定される。なお、枚葉紙Ｂの綴り穴Ｃの形成ピッチは、等間隔の他、任意の間隔とされ、綴り穴Ｃの形成個数や形成形態も左右対称や上下対称とされ、また、綴り側端縁Ｂ’の全長に亘って一連とされたり、複数に区分してグループ化されたり自由に設定され、これに対応して本発明の綴り具Ａの連結態様なども設定される。また、本発明の綴り具Ａは、プラスチック、紙、木、竹、金属板、その他、薄い金属板にそれよりも厚い紙を貼り合わせたものや、各種の積層シート、複合シート等のいずれの素材で製作してもよい。
【００１３】
本発明の綴り具Ａの実施形態は、以上の構成からなり、次に、使用態様を説明する。
枚葉紙Ｂの綴り込み時、図１（Ｂ）に示すように、リング部１を拡開させる。そして、リング部１の内側に配置されている合掌部分４，４を枚葉紙Ｂの挿入ガイドとして利用して枚葉紙Ｂのリング部１内への挿入を行う。この場合、綴り穴Ｃのないダミーシートを先に入れ、このダミーシートと長い方の合掌部分４との間に枚葉紙Ｂを挿入してリング部１を拡開させながら枚葉紙Ｂの綴り穴Ｃをリング部１内に入れ、その状態で、ダミーシートを抜き出して枚葉紙Ｂの綴り穴Ｃを短い方の合掌部分４に挿通する。これにより、枚葉紙Ｂのリング部１内への挿入が容易となる。
【００１４】
上記合掌部分４，４の拡開量は、枚葉紙Ｂの厚さ相当分程度の小さく狭い範囲（約２０°前後）でよい。この程度の拡開量であれば、リング部１の弾性復元力を損なうことはない。さらに、リング部１の内側に配置されている合掌部分４，４は、綴り込まれた枚葉紙Ｂの抜け出しに対して、逆止機能を発揮する。このため、本発明の綴り具Ａは、枚葉紙Ｂを抜け出し難くすることができる。これらによって、合掌部分４，４に接着剤を塗布することやリング部１の弾性力を強化することなどが不要化され、コストダウンを図ることができる。
【００１５】
また、合掌部分４，４は、リング部１の径方向内方に向けて突出して配置されており、その径方向内方への突出長さは、リング部１の内径の半分を超えない長さとされているため、リング部１に綴り込まれた枚葉紙Ｂのリング部周方向への移動（ページめくり等）を合掌部分４，４で阻害されることなく広範囲にスムーズに行うことができる。
また、合掌部分４，４は、一方が長く、他方が短い長さをもち、短い方は枚葉紙Ｂの綴り穴Ｃの内法寸法よりも短くされ、長い方は枚葉紙Ｂの綴り穴Ｃの内法寸法よりも長くされているため、枚葉紙Ｂの綴り込み時、短い方の合掌部分４を利用して枚葉紙Ｂの綴り穴Ｃを容易に挿通することができる（図２参照）。また、長い方の合掌部分４は、リング部１に綴り込まれた枚葉紙Ｂのリング部周方向の回り止めとなる。なお、カレンダに適用した場合、使用済みページのみを抜き取ることも容易であり、また、その他の用途に適用した場合でも、必要ページだけを抜き出すことが容易であり、用済み後に戻すことも容易である。この場合にも、前記ダミーシートを使用すれば、リング部１からの必要ページの抜取りや差し込みが容易になる。
【００１６】
また、合掌部分４，４の長い方は、複数のリング部１の連結部２とされているため、複数のリング部１の連結部２を幅広く形成して連結部２の強度を大きくすることができると共に、リング部１に綴り込まれた枚葉紙Ｂを連結部２の両側でリング部１のほぼ全周に亘る範囲で移動させることができる。また、各種の板状素材により櫛形状に裁断加工されたものからリング部１の巻き込み加工及び合掌部分４，４の曲げ加工を経て本発明の綴り具Ａを容易に製作することができる。
本発明の実施形態は以上からなるが、本発明は、上記実施形態にのみ制約されるものではなく、特許請求の範囲内で自由に変更して実施してもよい。例えば、リング部１は、円形に限らず、楕円形や隅丸四角形などの異形円であってもよい。また、合掌部分４，４は、同一長さとしてもよい。さらに、合掌部分４，４は、用途や目的によっては、枚葉紙Ｂの綴り込み後、接着剤で接着するようにしてもよい。また、本発明の綴り具Ａの対象は、カレンダに限らず、帳簿類やノート類、書籍、文献、リポート、論文集、カタログ集、見本帳などの各種枚葉式バインダーの綴り具に適用することができる。
【図面の簡単な説明】
【００１７】
【図１】（Ａ）は本発明の綴り具の閉鎖状態の端面図、（Ｂ）はその枚葉紙綴り込み時の状態を示す端面図、（Ｃ）は概略斜視図である。
【図２】本発明の綴り具の枚葉紙綴り込み状態の縦断側面図である。
【図３】本発明の綴り具の枚葉紙綴り込み状態の正面図である。
【符号の説明】
【００１８】
Ａ    綴り具
Ｂ    枚葉紙
Ｃ    綴り穴
１    リング部
２    連結部
３    両端
４    合掌部分
５    傾斜案内部
【図１】
2008126422.tif 000003
【図２】
2008126422.tif 000004
【図３】
2008126422.tif 000005